(57)【要約】    【課題】  箱胴の出し入れ口を開閉し易くし、屋根を落下し難くする。    【解決手段】  台座１の上に、戒名を記載する板や過去帳などを収納する箱胴２を設け、箱胴の上面を収納物の出し入れ口１１にし、箱胴の上に屋根３を取り付けて屋根で出し入れ口を閉鎖した。箱胴は、上端の外周に受け板１２を鍔状に突出して固定した。屋根は、下面の中央部に、箱胴の上端に嵌合する嵌合部１３を設け、下面の周辺部を箱胴の受け板の上に載る受け部１４にした。出し入れ口を閉鎖するときには、屋根の嵌合部を箱胴の上端に嵌合すると共に、屋根の受け部を箱胴の受け板上に載せて、屋根を箱胴の上に取り付ける。出し入れ口を開放するときには、屋根の嵌合部を箱胴の上端から抜き出すと共に、屋根の受け部を箱胴の受け板から持ち上げ、屋根を箱胴の上から取り外す。【選択図】  図４
0003118959.tif 000002
【実用新案登録請求の範囲】
【請求項１】
台座の上に、戒名を記載する板や過去帳などを収納する箱胴を設け、箱胴の上面を、板や過去帳などの収納物の出し入れ口にし、箱胴の上に屋根を取外可能に取り付けて屋根で出し入れ口を開放可能に閉鎖した箱位牌であって、
箱胴は、上端の外周に受け板を鍔状に突出して固定し、
屋根は、下面の中央部に、箱胴の上端に抜出可能に嵌合する嵌合部を設け、下面の周辺部を箱胴の受け板の上に載る受け部にし、
出し入れ口を閉鎖するときには、屋根の嵌合部を箱胴の上端に嵌合すると共に、屋根の受け部を箱胴の受け板上に載せて、屋根を箱胴の上に取り付け、出し入れ口を開放するときには、屋根の嵌合部を箱胴の上端から抜き出すと共に、屋根の受け部を箱胴の受け板から持ち上げ、屋根を箱胴の上から取り外す構成にしたことを特徴とする箱位牌。
【請求項２】
箱胴の前面には、収納物の前面が臨む窓を開口し、窓を開閉する扉を設け、
扉は、台座と受け板の間に配置し、上端のほぞを受け板下面のほぞ穴に嵌合すると共に、下端のほぞを台座上面のほぞ穴に嵌合したことを特徴とする請求項１に記載の箱位牌。
【考案の詳細な説明】
【技術分野】
【０００１】
本考案は、戒名を記載する板や過去帳などを取出可能に収納する箱位牌に関する。
【背景技術】
【０００２】
伝統的な箱位牌は、台座の上に、戒名を記載する複数枚の板や過去帳などを収納する箱胴を設けている。箱胴の上面は、開放して、板や過去帳などの収納物の出し入れ口にしている。箱胴の上端には、屋根の下面に形成した凹部を嵌合して、屋根を箱胴の上端に取り付けると共に、屋根で箱胴の出し入れ口を閉鎖している。箱胴の下端は、台座の上面に固定している。箱胴の前面には、収納物の前面が臨む窓を開口し、窓を開閉する扉を観音開きに蝶番で取り付けている。
【０００３】
箱胴の上面の出し入れ口は、戒名を記載する板や、戒名、俗名や死亡年月日などを記載する過去帳などの収納物を出し入れするため、開閉する。箱胴の出し入れ口を開放するときには、屋根は、掴んで持上げ、箱胴の上端から抜き取る。出し入れ口を閉鎖するときには、屋根は、掴んで箱胴の上端に嵌め込む。観音開きの扉を開くと、箱胴前面の窓が開放し、窓を通して収納物の前面の戒名などが見える。
【０００４】
特許文献１の箱位牌は、台座の上に左右の側板を並列して固定し、両側板の上に屋根を固定している。両側板の前には、窓を形成し、窓を開閉する観音開きの扉を配置している。観音開きの扉は、上端のほぞを屋根下面のほぞ穴に嵌合すると共に、下端のほぞを台座上面のほぞ穴に嵌合している。両側板の後には、後蓋板を配置している。後蓋板は、上端を屋根下面の深い溝に浅く差し込むと共に、下端を台座上面の浅い溝に差し込み、着脱可能にしている。両側板、観音開きの扉、後蓋板と屋根及び台座で戒名板の収納箱を構成している。
【０００５】
戒名板の出し入れは、収納箱の後面から行う。収納箱の後面を開放するときには、後蓋板は、持上げて、下端を台座下面の浅い溝から抜き出し、次に、下端を後方に移動させつつ引き下げ、上端を屋根下面の深い溝から抜き出す。収納箱の後面を閉鎖するときには、後蓋板は、上端を前側に倒して傾け、持上げて、上端を屋根下面の深い溝に深く差し込み、次に、下端を前方に移動させて台座上面の浅い溝の上に配置し、引き下げて、台座上面の浅い溝に差し込む。観音開きの扉を開くと、窓が開放し、窓を通して戒名板の前面の戒名が見える。
【０００６】
【特許文献１】実公平８−５６５２号公報
【考案の開示】
【考案が解決しようとする課題】
【０００７】
［背景技術の課題］
伝統的な箱位牌においては、屋根が箱胴上面の出し入れ口の蓋に兼用されていて出し入れ口を開閉し易い。ところが、その屋根は、取外可能にするため、箱胴の上端との嵌合状態が緩く、落下し易い。屋根は、箱胴の上から落下すると、傷が付くことがある。
【０００８】
また、観音開きの扉は、開閉機構に蝶番を用いている。ところが、その蝶番は、扉と箱胴に釘で固定する作業に多くの手間が掛かる。その上、蝶番は、錆びが生じて見た目が悪くなることがある。
【０００９】
特許文献１の箱位牌においては、屋根を固定し、扉にほぞ機構を用いていて、伝統的な箱位牌における上記の課題がない。ところが、収納箱の後面の開閉、戒名板の出し入れには、後蓋板の注意深い操作を要し、多くの手間が掛かる。
【００１０】
［課題を解決するための着想］
箱胴の出し入れ口の開閉操作を容易にするため、出し入れ口は箱胴の上面に設け、出し入れ口の開閉に屋根を用いることにした。その上、その屋根は、落下し難くすることにした。更に、扉の開閉機構には、ほぞ機構を用いることにした。
【００１１】
この箱位牌においては、台座上の箱胴は、上面を開放して出し入れ口にし、上端の外周に受け板を鍔状に突出して固定する。屋根は、下面の中央部に、箱胴の上端に抜出可能に嵌合する嵌合部を設け、下面の周辺部を箱胴の受け板の上に載る受け部にする。
【００１２】
箱胴の出し入れ口を閉鎖するときには、屋根下面中央部の嵌合部を箱胴の上端に嵌合すると共に、屋根下面の周辺部の受け部を箱胴の受け板上に載せて、屋根を箱胴の上に取り付ける。すると、その屋根は、箱胴の上面とその外周の受け板に載り、箱胴の上面より広い範囲で支えられる。落下し難くなる。箱胴の出し入れ口を開放するときには、屋根下面の嵌合部を箱胴の上端から抜き出すと共に、屋根下面の受け部を箱胴の受け板から持ち上げ、屋根を箱胴の上から取り外す。
【００１３】
更に、扉は、台座と受け板の間に配置し、上端のほぞを受け板下面のほぞ穴に嵌合すると共に、下端のほぞを台座上面のほぞ穴に嵌合する。
【課題を解決するための手段】
【００１４】
１）台座の上に、戒名を記載する板や過去帳などを収納する箱胴を設け、箱胴の上面を、板や過去帳などの収納物の出し入れ口にし、箱胴の上に屋根を取外可能に取り付けて屋根で出し入れ口を開放可能に閉鎖した箱位牌であって、
箱胴は、上端の外周に受け板を鍔状に突出して固定し、
屋根は、下面の中央部に、箱胴の上端に抜出可能に嵌合する嵌合部を設け、下面の周辺部を箱胴の受け板の上に載る受け部にし、
出し入れ口を閉鎖するときには、屋根の嵌合部を箱胴の上端に嵌合すると共に、屋根の受け部を箱胴の受け板上に載せて、屋根を箱胴の上に取り付け、出し入れ口を開放するときには、屋根の嵌合部を箱胴の上端から抜き出すと共に、屋根の受け部を箱胴の受け板から持ち上げ、屋根を箱胴の上から取り外す構成にしたことを特徴とする。
【００１５】
２）上記の箱位牌において、
箱胴の前面には、収納物の前面が臨む窓を開口し、窓を開閉する扉を設け、
扉は、台座と受け板の間に配置し、上端のほぞを受け板下面のほぞ穴に嵌合すると共に、下端のほぞを台座上面のほぞ穴に嵌合したことを特徴とする。
【考案の効果】
【００１６】
箱胴の出し入れ口が屋根の着脱で容易に開閉される上、箱胴の上に取り付けた屋根は、箱胴の上面とその外周の受け板に載り、広い範囲で支えられる。屋根が落下し難い。
【００１７】
扉の開閉機構には、ほぞ機構を用い、錆びが生じる蝶番の釘打ち作業が不要である。
【考案を実施するための最良の形態】
【００１８】
［第１例（図１〜図７参照）］
本例の箱位牌は、図１〜図３に屋根の取り付け状態を示し、図４〜図６に屋根の取り外し状態を示し、図７に扉の開放状態を示す。
【００１９】
箱位牌は、台座１の上に箱胴２を設け、箱胴２の上に屋根３を設けている。箱胴２は、縦長の箱形状であり、戒名を記載する複数枚の板１０を収納する。箱胴２の上面は、開放して、戒名を記載する板１０、収納物１０の出し入れ口１１にしている。箱胴２の下端は、台座１の上面に固定している。
【００２０】
箱胴２の上端は、外周に受け板１２を鍔状に突出して固定している。受け板１２は、上面の高さ位置を箱胴２の上面の高さ位置に一致させている。受け板１２の内周面と箱胴２の外周面は、接着している。屋根３の下面は、中央部に、箱胴２の上端の内部に嵌合する凸状の嵌合部１３を設け、周辺部を受け板１２の上に載る受け部１４にしている。
【００２１】
箱胴２の出し入れ口１１を閉鎖するときには、屋根３の凸状嵌合部１３を箱胴２の上端の内部に嵌合すると共に、屋根３の受け部１４を箱胴の受け板１２上に載せて、屋根３を箱胴２の上に取り付ける。屋根３は、箱胴２の上面とその外周の受け板１２に載り、箱胴２の上面より広い範囲で支えられる。出し入れ口１１を開放するときには、屋根３の凸状嵌合部１３を箱胴２の上端内から抜き出すと共に、屋根３の受け部１４を箱胴２の受け板１２から持ち上げ、屋根３を箱胴２の上から取り外す。
【００２２】
箱胴２の前面には、収納物１０の前面が臨む窓２１を開口し、窓２１を開閉する扉２２を観音開きに設けている。観音開きの扉２２は、台座１と受け板１２の間に配置している。両側の扉２２は、それぞれ、外側部の上端と下端にほぞ２３、２４を突出している。受け板１２の下面と台座１の上面には、それぞれ、前側部の両側にほぞ穴を開口している。各扉２２は、それぞれ、上端のほぞ２３を受け板１２下面のほぞ穴に嵌合すると共に、下端のほぞ２４を台座１上面のほぞ穴に嵌合している。観音開きの扉２２は、両側に開くと、窓２１が開放し、窓２１を通して収納物１０の前面の戒名が見える。
【００２３】
［第２例（図８と図９参照）］
本例の箱位牌は、図８と図９に屋根の取り外し状態を示す。箱胴の上端と屋根の嵌合部との嵌合機構は、凹凸関係を第１例におけるのと逆にしている。
【００２４】
受け板１２は、箱胴２の上端の外周に鍔状に突出して固定するに当たり、上面位置を箱胴２の上面位置から少し下げている。受け板１２の上には、箱胴２の上端を突出している。屋根３の下面は、中央部に、受け板１２上に突出した箱胴２の上端の外周に嵌合する凹状の嵌合部３１を設け、周辺部を受け板１２の上に載る受け部１４にしている。
【００２５】
箱胴２の出し入れ口１１を閉鎖するときには、屋根３の凹状嵌合部３１を、受け板１２上に突出した箱胴２の上端の外周に嵌合すると共に、屋根３の受け部１４を箱胴の受け板１２上に載せて、屋根３を箱胴２の上に取り付ける。出し入れ口１１を開放するときには、屋根３の凹状嵌合部３１を箱胴２の上端から抜き出すと共に、屋根３の受け部１４を受け板１２から持ち上げ、屋根３を箱胴２の上から取り外す。
【００２６】
その他の点は、第１例におけるのと同様である。
【図面の簡単な説明】
【００２７】
【図１】本考案の実施形態における第１例の箱位牌の正面図。
【図２】図１のＡ‐Ａ線断面拡大図。
【図３】同箱位牌の側面図。
【図４】同箱位牌の屋根の取り外し状態の正面図。
【図５】同箱位牌の箱胴の拡大平面図。
【図６】同箱位牌の屋根の取り外し状態の側面図。
【図７】同箱位牌の扉の開放状態の正面図。
【図８】第２例の箱位牌の屋根の取り外し状態の正面図。
【図９】同箱位牌の屋根の取り外し状態の側面図。
【符号の説明】
【００２８】
１  台座
２  箱胴
３  屋根
１０  戒名を記載する板、収納物
１１  箱胴の出し入れ口
１２  箱胴の受け板
１３  屋根の凸状の嵌合部
１４  屋根の受け部
２１  箱胴の窓
２２  箱胴の扉、観音開きの扉
２３  扉上端のほぞ
２４  扉下端のほぞ
３１  屋根の凹状の嵌合部
【図１】
0003118959.tif 000003
【図２】
0003118959.tif 000004
【図３】
0003118959.tif 000005
【図４】
0003118959.tif 000006
【図５】
0003118959.tif 000007
【図６】
0003118959.tif 000008
【図７】
0003118959.tif 000009
【図８】
0003118959.tif 000010
【図９】
0003118959.tif 000011